(57)【特許請求の範囲】
【請求項１】
２次元光電変換部を有した撮像素子と、上記撮像素子の上記光電変換部からの信号読出しを実行する信号読出し手段と、を有した撮像装置であって、
上記信号読出し手段は、当該撮像装置が特に連写撮影を実行する場合には、通常撮影実行時とは異なる撮像素子駆動方法として、上記光電変換部の画面の一端から他端への１回の読出し走査に対応する単位読出しを毎回同一方法で繰り返し実行することによって上記信号読出しを行なうように構成されたものであることを特徴とする撮像装置。
【請求項２】
上記撮像素子は電荷転送路を有した電荷転送型固体撮像素子であり、上記信号読出し手段は、上記毎回の単位読出しに際しては、上記電荷転送路において上記光電変換部の画素電荷を加算しつつ、上記光電変換部の全ての画素電荷を出力信号として読み出すように構成されたものであることを特徴とする請求項１に記載の撮像装置。
【発明の詳細な説明】
【０００１】
【発明の属する技術分野】
本発明は撮像装置、詳しくはＣＣＤ等のイメージャを用いて被写体像を電気信号に変換し、該信号を処理してＡＦ（オートフォーカス）、画像記録等を行う撮像装置に関する。
【０００２】
【従来の技術】
イメージャ等の光電変換手段上に結像された被写体像から得られる映像信号を演算処理して合焦点を求めるＡＦ装置は、従来から種々の方式が提供されている。この種ＡＦ装置の一つに、合焦の度合を示す値が大きくなる方向に撮影レンズを移動させ、ピーク位置を検出したらそこで停止するように構成された、所謂、山登り方式と呼称される方式がある。この山登り方式では、像のピントが合ってくると映像信号中の高周波成分であるコントラスト情報が増える点に着目し、バンドパスフィルタ等により映像信号中から取り出されたその高周波成分を、合焦の度合を示す信号として検出している。
【０００３】
このようなイメージャＡＦで、上記光電変換手段としてのイメージャ上に結像された２次元の被写体像から１次元の電気信号を取り出すには、例えばＮＴＳＣ方式の場合５２５本の水平走査線を、奇数フィールドと偶数フィールドとのインターレース読出して画像信号を得ている。
【０００４】
このイメージャ上の被写体像をインターレース読出しする実際を、インターライン転送ＣＣＤのフィールド蓄積モードを例に図４〜図６により説明する。
【０００５】
図４はインターライン転送ＣＣＤの垂直１列の要部を拡大して示した図で、フォトダイオード４０ａ，４０ｂ，…に並行して４相駆動の垂直転送ＣＣＤ４３が配設され、この間は後記トランスファゲートＸＳＧ１，ＸＳＧ２で図示のように結線されている。そして、上記フォトダイオード４０ａ，４０ｂ，…は、それぞれイメージャ上の単位画素を形成しており、水平走査線に対応して１個ずつ設けられ、同ダイオード１個に対し垂直転送ＣＣＤ４３の２区画が対応して設けられている。
【０００６】
この垂直転送ＣＣＤ４３において、１，２，３，４の番号が繰返し付された各区画上には微細電極が貼着されていて、同一番号の区画の各電極電位を同時にコントロールできるように、微細電極相互間が蒸着アルミ配線によって接続されている。そして、この微細電極の電位を“Ｌ”レベルにすると、この電極下にポテンシャル井戸が形成されて電荷が蓄積されるようになっている。
【０００７】
上記フォトダイオード４０ａ，４０ｂ，…に蓄積された信号電荷を垂直転送ＣＣＤ４３の各区画１，２，３，４，にシフトするためのトランスファゲートは、図４において斜線が付された第１のゲートＸＳＧ１と、白地で示された第２のゲートＸＳＧ２とに大別される。これらの各ゲートＸＳＧ１，ＸＳＧ２の論理レベルを“Ｌ”にすると、奇数番目のフォトダイオード４０ａ，４１ａ，…に蓄積された信号電荷は垂直転送ＣＣＤ４３の区画１に、また偶数番目のフォトダイオード４０ｂ，４１ｂ，…に蓄積された信号電荷は垂直転送ＣＣＤ４３の区画３に、それぞれ転送される。
【０００８】
すると同ＣＣＤ４３では、後記図５で説明するようにＣＣＤチャンネル内の各区画の電位をシーケンシャルに制御することにより、奇数フィールドでは１フィールド期間中に奇数番目のフォトダイオード４０ａ，４１ａ，…に蓄積され区画１に転送された信号電荷が、次の偶数番目のフォトダイオード４０ｂ，４１ｂ，…に蓄積され区画３に転送された信号電荷に加算されて、図示しない水平転送ＣＣＤを介してイメージャ出力として取り出される。一方偶数フィールドでは偶数番目のフォトダイオード４０ｂ，４１ｂ，…に蓄積され区画３に転送された信号電荷が、次の奇数番目のフォトダイオード４１ａ，４２ａ，…に蓄積され区画１に転送された信号電荷に加算されて取り出される。このような信号電荷の加算の組み合わせを、奇数フィールドについては０で、また偶数フィールドについてはＥで、それぞれ図４上に示す。
【０００９】
従って、インターライン転送ＣＣＤのフィールド蓄積モードにおけるインターレース読出しにおいては、そのフィールドの奇偶に応じ水平走査線１本分の組合せずれを生じることになる。この点については後記発明が解決しようとする課題で詳述する。
【００１０】
図５は、垂直転送ＣＣＤ４３に印加される各部信号のタイムチャートで、水平ブランキング信号ＨＤの下方に、同ＣＣＤ４３の区画１〜４に印加されるパルス信号ＸＶ１〜ＸＶ４が、奇数フィールドと偶数フィールドにそれぞれ分けて示されている。今時刻ｔ１からｔ２の間で、図中ＸＶ４の下に記載された第１，第２のトランスファゲートＸＳＧ１，ＸＳＧ２の論理レベルを“Ｌ”にすれば、フォトダイオードで１フィールド期間中に蓄積された電荷が垂直転送ＣＣＤ４３に転送される。
【００１１】
同ＣＣＤ４３において、区画１〜４に印加されるパルスＸＶ１，ＸＶ２，ＸＶ３，ＸＶ４の何れかの論理レベルを“Ｌ”に設定すると、前述したようにその領域のポテンシャルが下って電荷がそこに蓄積される。そこで、例えばＸＶ１，ＸＶ３を“Ｌ”レベルにして電荷をそれぞれ蓄積した状態において、ＸＶ２の電位も共に“Ｌ”レベルにすれば、両電荷の混合を行うことができる。
【００１２】
即ち、ｔ１〜ｔ２の電荷転送期間中にフォトダイオードから垂直転送ＣＣＤに信号電荷を転送した後、時刻ｔ３からｔ４までの電荷混合期間内における印加パルスＸＶ１〜ＸＶ４を“Ｌ”レベルにする順序により蓄積電荷の加算を行うことができる。これにより奇数フィールドと偶数フィールドの画像情報が得られるので、これを交互に行えばインターレース読出しが、また何れか片方だけに固定すればノンインターレース読出しがそれぞれ可能になる。
【００１３】
図６は走査モードを説明する図で、（Ａ）に示すインターレース駆動はノーマル駆動とも呼ばれ、１フレームを形成する奇数フィールド０と偶数フィールドＥとが交互に示現されている。これに対し（Ｂ）のノンインターレース駆動では奇数フィールド０のみが、あるいは偶数フィールドＥのみがそれぞれ連続し示現されている。つまり、奇偶のうちの一方の読出しフィールドのみが許容されるようなモードで、これは連続的でなく間欠的であってもよい。そして、インターレース駆動によれば、ノンインターレース駆動に比し走査線が２倍になるので、画質の顕著な向上を期待することができる。
【００１４】
【発明が解決しようとする課題】
しかしながら、インターライン転送ＣＣＤをフィールド蓄積モードでインターレース読出しすると、前記図４で説明したように、奇数フィールドでは奇数番目の信号と次の偶数番目の信号とを、また偶数フィールドでは偶数番目の信号と次の奇数番目の信号とを、それぞれ転送部で加算して読出しているから、そのフィールドの奇偶に応じて水平走査線１本分の組合せずれを生じる。そこで、これをイメージャＡＦに用いると充分な測距精度を得られないことになってしまう。この点を図７，図８により詳しく説明する。
【００１５】
図７は、基準被写体５１をインターライン転送ＣＣＤの撮像面上に結像させて電気信号に変換し、これをフィールド蓄積モードでインターレース読出しするときの説明図で、奇数フィールドのエリアＡ１，Ａ２，Ａ３、偶数フィールドのエリアＢ１，Ｂ２，Ｂ３がそれぞれ順々に読出されてくる。この場合、エリアの切り出しつまりどこからどこまでを情報にするかは、順番に出てきたラインのどこまでをとるかしかできない。そして、偶数フィールドのエリアＢ１，Ｂ２，Ｂ３のほうが奇数フィールドのエリアＡ１，Ａ２，Ａ３より走査線１本分下にずれている。
【００１６】
そこで基準被写体５１によるコントラスト情報が走査線１本当りＫＯであるとすると、奇数フィールドおよび偶数フィールドにおけるコントラスト情報ＫＡ，ＫＢはそれぞれ下式のようになる。
【００１７】
ＫＡ＝３Ｋ０
ＫＢ＝２Ｋ０
即ち、同じ被写体５１をインターライン転送ＣＣＤで撮像し、これをフィールド蓄積モードでインターライン読出しすると、図８（Ａ）に示すようにコントラスト情報がＫＡ，ＫＢ，ＫＡ，…のように変化し、フィールドフリッカを生じることになってしまう。なお、通常フリッカとは明るさの変化が周期的に生じる場合であるが、上記の場合もこれに準ずるものとしてフリッカと呼称する。これに対し、例えば奇数フィールドだけを、繰返しノンインターレース読出しすれば、図８（Ｂ）に示すように常に同じコントラスト情報ＫA を得られるのでフィールドフリッカを生じない。
【００１８】
次に、このようなフィールドフリッカがあると、何故ＡＦ動作に支障を生じるかについて説明する。前記山登り方式と呼称されるイメージャＡＦは、焦点ボケに伴ってコントラスト情報がどう変化するかにより動作するものなので、コントラスト情報の変化を見るに際し、撮影レンズの動きに直接関係ない周期的な成分があるとノイズになってしまい測距精度が低下するからである。そこでコントラスト情報を得るためには、上記図８（Ｂ）に示すようなフリッカのない一定出力が望ましい。
【００１９】
しかしながらイメージャ出力は、ＡＦ動作ばかりでなく、記録動作を始めとしてＥＶＦ（電子ビューファインダ）表示や外部機器にも供給されて使用され、これらの場合は当然インターレース駆動が望ましい。
【００２０】
そこで本発明の目的は、上記問題点を解消し、イメージャＡＦのコントラスト情報に重畳されるノイズ成分のうち、２フィールド周期成分の主原因と考えられるインターレース読出しの影響をなくした撮像装置を提供するにある。
【００２１】
【課題を解決するための手段】
上記の目的を達成するために本発明の第１の撮像装置は、２次元光電変換部を有した撮像素子と、上記撮像素子の上記光電変換部からの信号読出しを実行する信号読出し手段と、を有した撮像装置であって、上記信号読出し手段は、当該撮像装置が特に連写撮影を実行する場合には、通常撮影実行時とは異なる撮像素子駆動方法として、上記光電変換部の画面の一端から他端への１回の読出し走査に対応する単位読出しを毎回同一方法で繰り返し実行することによって上記信号読出しを行なうように構成されたものであることを特徴とする。
【００２２】
上記の目的を達成するために本発明の第２の撮像装置は、上記第１の撮像装置において、上記撮像素子は電荷転送路を有した電荷転送型固体撮像素子であり、上記信号読出し手段は、上記毎回の単位読出しに際しては、上記電荷転送路において上記光電変換部の画素電荷を加算しつつ、上記光電変換部の全ての画素電荷を出力信号として読み出すように構成されたものであることを特徴とする。
【００２３】
【発明の実施の形態】
以下、図面を参照して本発明の実施の形態を説明する。
【００２４】
先ず、本発明の実施形態を説明するのに先立って本発明の基本概念を以下に説明する。
【００２５】
撮像装置が内蔵された電子スチルカメラやビデオムービー等においては、ＡＦ動作，記録動作（フィールド記録およびフレーム記録を含む），ＥＶＦ表示，外部出力端に接続された外部機器への映像信号出力等の各機能を有するが、これらの各機能がイメージャをインターレース読出して画像信号を得る第１モードと、同イメージャをノンインターレース読出して画像信号を得る第２モードとの両動作モードに対する要求の度合、性質が異なる。
【００２６】
即ち、ＡＦ動作では第２モードが、またフレーム記録では第１モードが、ＥＶＦ表示と外部出力では第１モードがそれぞれ要求されるのに対し、フィールド記録では通常何れでもよく、画像処理等の特殊用途に限り第２モードが要求されることがある。
【００２７】
このように、上記各機能が有する読出しモードに対する要求が異なるが、これら各機能のカメラ動作における優先度は自づと定められる。即ち、カメラにおける記録は通常最大優先で、ＡＦも優先度が高い。これに対し、画像情報を単にモニタするだけのＥＶＦの場合には若干画質が落ちてもある時間だけなら優先度を低くしても差し支えない。また、外部出力については、種々の使い方をされるので優先度が高くなったり低くなったりする。
【００２８】
これをスチル撮影時とムービ撮影時とに分け、各機能の優先度を不等号により具体的に表わすと下記表１のように分類される。
【００２９】
【表１】
0003540752.tif 000002
上記表１について若干の注釈を加えると、
(1)  スチル撮影時のケース１は従来の電子スチルカメラにおける機能順位で、合焦動作が完了しないと記録できないようになっている。これに対しケース２は、合焦動作完了前でも記録され得るものである。
【００３０】
(2)  ムービ撮影については後記図３による動作説明で詳述するが、ケース２はムービ撮影なので、記録動作中にときどき第１モードになっても画質に大きな問題を生じないとする。また、ケース３は上記ケース２より若干画質を優先する。更に、ケース４は画質を最優先とするが、非記録時（ＥＶＦ）では若干の画質低下を許容する。
【００３１】
そこで本発明の基本思想は、上記表１に示す記録、ＡＦ等カメラの各動作状態の優先度に応じて、カメラの走査モードを適宜コントロールしようとするものである。次に、実施形態を説明する。
【００３２】
図１は、本発明の一実施形態を示す撮像装置のブロック構成図である。
【００３３】
これは、切換えによりムービ記録可能な電子スチルカメラの要部で、イメージャとしては、インターライン転送ＣＣＤをフィールド蓄積方式で用いることとする。
【００３４】
撮影レンズ１を透過した被写体像は、インターライン転送型ＣＣＤ２の受光部を形成する各フォトダイオード面上に結像されて光電変換される。同ＣＣＤ２は、このＣＣＤ２を駆動するドライバ回路を含むＳＳＧ（同期信号発生器）４から供給される各種のパルス信号により、その蓄積電荷をインターレース読出しあるいはノンインターレース読出しされる。同ＳＳＧ４の動作は、この処理装置全体の動作シーケンスを司るシステムコントローラ５により制御される。
【００３５】
ＣＣＤ２からの出力信号は、電気信号処理回路であるプロセス回路３に入力されて信号処理され、被写体像を記録する記録系８、被写体像をモニタするＥＶＦ７、イメージャＡＦのためのコントラスト情報を検出するＡＦコントラスト検出回路６、およびＴＶモニタ，プリンタ等の外部機器に信号を出力する外部出力端９等に供給される。この記録系８としては、電子スチルカメラの場合にはスチルビデオフロッピを使った静止画記録装置であるが、デジタル記録のときは固体メモリカードが用いられる。また、ビデオムービーの場合にはＶＴＲのデッキ部が対応する。
【００３６】
上記外部出力端９には、システムコントローラ５からフレーム記録可能信号（以下、ＦＲ可能信号と呼称する）が送出されるようになっていて、このＦＲ可能信号は、後述するようにプロセス回路３から出力されている信号がフレーム記録が可能か否かを論理レベルのＨ／Ｌの組合せで出力するものである。
【００３７】
さて、インターレース読出しとノンインターレース読出しを切換える際、このプロセス系の処理方式によっては、単純に上記ＳＳＧ４からＣＣＤ２へ供給される駆動パルスを切換えるだけでは色分離回路等の動作が正常に行われない場合もある。このような場合、当然それに対応してＳＳＧ４からこのプロセス回路３に供給されている制御パルスも各事情に合わせて切換える必要があるが、これについては本発明の本質ではないのでここでの詳細な説明を省略する。
【００３８】
上記プロセス回路３から出力されたビデオ信号が入力されるＡＦコントラスト検出回路６では、例えば電気的なフィルタ等を用いてビデオ信号中からコントラスト情報を抽出し、画像中のどの範囲からコントラスト情報をとってくるかというフォーカスエリアの処理を行って、システムコントローラ５に供給する。すると、システムコントローラ５はこのようなフィールド毎のコントラスト情報に基づき、レンズドライバ１０を介して撮影レンズ１を繰り出しまたは繰り込みし、これに対応して得られるコントラスト情報の変化を見ながら撮影レンズ１を合焦点に駆動する所謂山登り動作を行う。
【００３９】
このように構成された本実施形態の動作を図２，図３のタイムチャートに基づいて以下に説明する。
【００４０】
図２は、電子スチルカメラにおけるスチルモードの典型的なタイムチャートで、インターレースモードとノンインターレースモードとがどのように切換えられるかを示している。なお、ここで用いられるトリガスイッチは、その半押し操作で１段目レリーズスイッチがオンするとＡＦ，ＡＥ動作が行われると共に、記録のためのスタンバイ動作、つまりフロッピディスクを用いたスチルカメラにおけるスピンドルモータの立上げ等が行われる。次に、トリガスイッチを全押し操作すると、２段目レリーズスイッチがオンして実際の記録動作が開始される。なお、この実施形態では、レリーズ釦の半押し操作を２回、従って１段目レリーズスイッチのオンが１１と２１と２回行われ、これに応動してＡＦ動作も１２と２２と２回行われるとしている。
【００４１】
時刻ｔ０でスタートする１段目レリーズスイッチのオン１１に応じて、ＡＦ動作１２が時刻ｔ１で開始される。これと共にＥＶＦ表示１３および外部出力オン１４が同時に行われるが、これら両動作は一連の撮影動作が終了するまで続行される。この場合前記基本概念で説明したように、上記ＡＦ，ＥＶＦ，外部出力の各動作のうちではＡＦ動作が一番重要なので、このＡＦ動作を確実に行えるような走査モード、つまりノンインターレースモード１５が選択され、また、ＦＲ可能信号は“Ｌ”レベル１６に設定される。
【００４２】
ここで、ＦＲ可能信号について説明すると、この信号が外部出力端９（図１参照）を介して外部機器に向け送出されると、外部機器側では、このＦＲ可能信号を受信してその論理レベルを選べることにより“Ｈ”レベルならインターレースモードであると、また“Ｌ”レベルならノンインターレースモードであるとそれぞれ認識する。これによって専用の外部機器の表示モードや記録モードを直接コントロールできる。あるいは、専用機器でない例えばプリンタ等を用いる場合でも、プリンタは通常リモコン端子を有しているので、そのリモコン端子を使って記録する場合に、そのリモコン信号に対してこの信号でゲートをかける等により、実質的にその外部機器での記録動作をインターレース時だけに限定することができる。これは、必ずしも自動的である必要はなく、例えばこの信号に従って表示を行い、人間がそれを監視して記録のタイミングを決定するようにしてもよい。
【００４３】
時刻ｔ２でＡＦ動作１２が終了すると、ＥＶＦ表示１３と外部出力１４のみが引続いて行われることになるが、これら両動作は、本来インターレースモードが望ましい。そこで、走査モードをノンインターレースモード１５からインターレースモード１７に戻すと共に、ＦＲ可能信号を“Ｌ”レベル１６から“Ｈ”レベル１８に変更する。従って、外部機器側でこのＦＲ可能信号が“Ｈ”レベルになったことを検出すると、例えばプリンタ等の外部機器の場合、高精度なフレーム記録を行うことができる。
【００４４】
時刻ｔ３でレリーズ釦の２回目の半押し操作に応動して、２回目の１段目レリーズスイッチのオン２１が行われると、時刻ｔ４でＡＦ動作２２が再び実行される。このとき、ＥＶＦと外部出力は共にオンされているが前述したようにＡＦ動作が優先するので、走査モードをノンインターレースモード２３に設定すると共に、ＦＲ可能信号を“Ｌ”レベル２４にする。この走査モードとＦＲ可能信号とは、時刻ｔ５でＡＦ動作２２が終了すれば、上記１回目のときと同じように、インターレースモード２５と“Ｈ”レベル２６とにそれぞれ戻される。
【００４５】
時刻ｔ６でレリーズ釦が全押し操作され２段目レリーズスイッチのオン２７が行われると、時刻ｔ７で記録動作２８が行われる。この記録動作は実線２５で示すように通常インターレースモードで行われ、特にフレーム記録の場合には、必ずインターレース走査にしなければならない。
【００４６】
しかしながら、連写で被写体の微妙な動きを追尾する、あるいは画像処理上の特殊目的で記録する場合、インターレース読出しでは連続して記録されたフィールドが奇数フィールドから偶数フィールドへ、あるいはこの逆に偶数フィールドから奇数フィールドに切換わるので、走査線のズレが現実には生じて問題になるケースがある。このような場合には、図の波線２９，３０に示すように、記録のためにノンインターレースモードを選択する必要があるが、これは、前記基本概念で説明したように、記録は他の如何なる動作よりも優先するからで、ＥＶＦ表示や外部出力中でもノンインターレース読出しに切換える。しかしながら、上記記録動作２８が終了すれば、上述したようにＥＶＦ動作や外部出力にとってはインターレースモードで走査するのが望ましいのでインターレースモードに復帰することになる。
【００４７】
以上はスチルモードにおける本実施形態の動作である。次にムービモードにおける本実施形態の動作を図３のタイムチャートを参照しながら３つのケースに分けて説明する。
【００４８】
先ず、第１のムービモードを説明する。一般に、ムービモードにおいては、長時間の録画が目的なので、僅かな時間の画質劣化は問題にならない。従ってＡＦ動作はそれ程高速に合焦させる必要はないと考えて、前記基本概念で説明した表１中のムービモードにおけるケース（１）に示したように、高画質のフレーム記録対応のインターレース読出しモードである第１モードのみにし、ＡＦ動作を間欠的サンプリングとする。
【００４９】
この理由を説明すると、インターレースモードで毎フィールドＡＦ情報をとろうとするから、ＡＦにおいてフィールドフリッカが問題になるので、偶数フィールド例えば２フィールド、４フィールド、６フィールド毎に、間欠的にサンプリングしてＡＦするとすれば、インターレースモードでもＡＦ動作にとって何ら妨害にならないからである。
【００５０】
次に、第２のムービモードを説明すると、これはムービモードと雖も合焦動作は少しでも高速に且つ高精度に行いたいという考え方に基づいている。従って、図３に示すように、ＡＦ動作３１が実行されていると、走査モードをノンインターレースモード３２に、またＦＲ可能信号を“Ｌ”レベル３３に設定する。
【００５１】
このように設定しても支障を生じない理由を説明すると、通常行われているＡＦ動作の開始時には、多くは被写体が合焦ポイントから大きく逸脱した大ボケ状態にあるので、高速に且つ連続的にＡＦ動作する必要がある。このためにはノンインターレース走査３２が必要になるが、一度合焦点に達してしまえば、以後のＡＦ動作３４，３５は、可成り間欠的にしか行わない。
【００５２】
従って、通常はインターレースモードで走査しＡＦ時だけノンインターレースモードで走査するようにしても、上述したようにムービでは長時間記録が目的なので、僅かな時間の画質劣化は問題にならないからである。
【００５３】
更に第３のムードモードを説明する。これは上記第１と第２のムードモードを組み合わせたもので、上記図３に示す大ボケ状態からの高速合焦動作３１ではノンインターレースモードと同じである。しかしながら、高速合焦動作３１が終了して待機状態に入れば、以後の間欠的なＡＦ動作３４，３５に対しては、上記第１のムードモードと同じように、走査モードを破線で示すインターレースモード３６，３７に、またＦＲ可能信号をフレーム記録可能な”Ｈ”レベル３８，３９に設定している。即ち、この第３のムービモードではＡＦ動作を高速合焦動作と待機中の間欠動作との２つに分け、高速合焦動作時のみノンインターレースモードで走査するようにしている。
【００５４】
上述の説明は、フィールド蓄積方式のインターライン転送ＣＣＤで実施する場合であるが、本実施形態はこれに限定されることなく、あらゆる種類のイメージャ、例えば撮像管でもビームアパーチャが狭いときには有効な技術思想である。
【００５５】
また、上記実施形態で説明した、カメラにおけるそれぞれの機能の優先度に応じてその走査モードを適宜コントロールしようという概念は、あらゆる種類のイメージャに関して有効であって、例えば固体撮像素子ならＸ−Ｙアドレス方式であれ、あるいはフレームトランスファタイプであれ全てに適用可能である。
【００５６】
更に、上記実施形態では、通常モードとしてフィールド蓄積モードを例にして説明したが、フレーム蓄積モードで動作する系でもフレーム蓄積モードのときと同様の画素（フォトダイオード）だけを使って蓄積時間を半分つまりフィールド単位にする。そして、使わない画素に含まれる余分な電荷を例えばオーバーフロードレイン等に排出する等の特殊な駆動法を用いれば、通常フレーム蓄積モードでインターレース駆動されているものを、感度は半分になるが、ＡＦ動作のためのノンインターレース駆動に切換えることもできる。
【００５７】
【発明の効果】
以上説明したように本発明によれば、撮像素子の出力画像信号を解析して合焦情報を取得するいわゆるイメージャＡＦを有した撮像装置において、撮像素子からの信号読出し方法として、光電変換部の画面の一端から他端への１回の読出し走査に対応する単位読出しを毎回同一方法で繰り返し実行するいわゆるノンインターレース方式を用いることができるようにしたので、イメージャＡＦのコントラスト信号に重畳されるノイズ成分のうち、２フィールド周期成分（フィールドフリッカ）の影響をなくすことができるという顕著な効果が発揮される。
【００５８】
またその際、特に請求項２の発明によれば、光電変換部の全ての画素電荷を出力信号として読み出すように構成したので、感度の低下を生じることが無い。
【図面の簡単な説明】
【図１】本発明の一実施形態を示す撮像装置のブロック構成図である。
【図２】上記図１におけるスチルモードでのタイムチャートである。
【図３】上記図１におけるムービモードでのタイムチャートである。
【図４】インターライン転送ＣＣＤの垂直１列の要部拡大図である。
【図５】上記図４における垂直転送ＣＣＤに印加される各部信号のタイムチャートである。
【図６】走査モードの説明図である。
【図７】基準被写体をインターライン転送ＣＣＤによってフィールド蓄積モードでインターレース読出しするときの説明図である。
【図８】上記図７におけるインターレース読出しとノンインターレース読出しのそれぞれに対するコントラスト情報出力の線図である。
【符号の説明】
４…ＳＳＧ（動作モード自動切換手段）
５…システムコントローラ（動作モード自動切換手段）
【図１】
0003540752.tif 000003
【図２】
0003540752.tif 000004
【図３】
0003540752.tif 000005
【図４】
0003540752.tif 000006
【図５】
0003540752.tif 000007
【図６】
0003540752.tif 000008
【図７】
0003540752.tif 000009
【図８】
0003540752.tif 000010